(57)【要約】【課題】消費電力の増大や回路規模の増大を招くことなく、自送信電力によるミキサーの２次相互変調歪特性の温度による劣化を抑えることができるようにする。【解決手段】温度センサ１６を設け、温度センサ１６により周囲温度を検出し、温度センサ１６で検出された温度に応じて、ミキサー３１ａ及び３１ｂに対するローカル信号のバイアス電圧、ミキサー３１ａ及び３１ｂの電流、ミキサー３１ａ及び３１ｂの対称性を確保するためのＣＡＬコード等、ミキサー３１ａ及び３１ｂに対する設定値を制御することで、消費電力を増大させることなく、ミキサーの２次相互変調歪特性の温度による劣化を抑える。【選択図】図１
2012186672.tif 000002
【特許請求の範囲】
【請求項１】
受信信号とローカル信号とを乗算して前記受信信号からベースバンド信号を復調するミキサー手段を含む受信装置であって、
周囲温度を検出する温度検出手段と、
前記温度検出手段の検出出力に応じて、前記ミキサー手段に対する設定値を可変する手段と
を備えることを特徴とする受信装置。
【請求項２】
前記温度検出手段の検出出力に応じて、前記ミキサー手段に対するローカル信号のバイアス電圧を可変することを特徴とする請求項１に記載の受信装置。
【請求項３】
前記温度検出手段の検出出力に応じて、前記ミキサー手段の電流を可変することを特徴とする請求項１に記載の受信装置。
【請求項４】
前記温度検出手段の検出出力に応じて、前記ミキサー手段の対称性を確保するための歪み特性調整値を可変することを特徴とする請求項１に記載の受信装置。
【請求項５】
受信信号とローカル信号とを乗算して前記受信信号からベースバンド信号を復調するミキサー手段を含む受信装置の制御方法であって、
周囲温度を検出し、
前記温度の検出値に応じて、前記ミキサー手段に対する設定値を可変する
ことを特徴とする受信装置の制御方法。
【請求項６】
受信信号とローカル信号とを乗算して前記受信信号からベースバンド信号を復調するミキサー手段を含む受信装置の制御プログラムであって、
周囲温度を検出するステップと、
前記温度の検出値に応じて、前記ミキサー手段に対する設定値を可変するステップと
を有することを特徴とするコンピュータにより実行可能な受信装置の制御プログラム。
【発明の詳細な説明】
【技術分野】
【０００１】
本発明は、携帯端末装置の受信部に用いて好適な受信装置、受信装置の制御方法、受信装置の制御プログラムに関する。
【背景技術】
【０００２】
現在、携帯端末装置では、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）のＴｒｉｐｌｅモード等、複数の通信システムに対応できるマルチモード化が進んでいる。今後も、このマルチモード化の傾向は続くと考えられる。携帯端末装置のような限られたスペースで複数の通信システムを実現するためには、それぞれの通信システム回路の小面積化が必須であり、ＲＦ（Ｒａｄｉｏ  Ｆｒｅｑｕｅｎｃｙ）回路では周辺部品の削除の検討が行われている。
【０００３】
ＲＦ受信部においては、ＬＮＡ（Ｌｏｗ  Ｎｏｉｓｅ  Ａｍｐｌｉｆｉｅｒ）をＲＦＩＣ（Ｒａｄｉｏ  Ｆｒｅｑｕｅｎｃｙ  Ｉｎｔｅｇｒａｔｅｄ  Ｃｉｒｃｕｉｔ）に内蔵化し、断間のＳＡＷ（Ｓｕｒｆａｃｅ  Ａｃｏｕｓｔｉｃ  Ｗａｖｅ）フィルタからなるバンドパスフィルタを削除することで小面積化を図る構成が進められている（特許文献１）。
【先行技術文献】
【特許文献】
【０００４】
【特許文献１】特開２００９−２９０２７６号公報
【発明の概要】
【発明が解決しようとする課題】
【０００５】
しかしながら、ＬＮＡをＲＦＩＣの内部に設ける構成とした場合、段間のＳＡＷフィルタからなるバンドパスフィルタを削除したことにより、自送信波がバンドパスフィルタで十分に減衰されないため、直交復調器に強い自送信波が入力される。そのため、直交復調器のミキサー回路には高い歪特性が要求されることになる。
【０００６】
また、ミキサー回路の歪特性は温度による特性変化が大きく、全動作温度に渡って高い歪特性を実現することは非常に難しい。したがって、たとえ全動作温度に渡って高い歪特性を実現することができたとしても、過剰特性となり、消費電流の増加や回路規模の増大等の発生を招いてしまう可能性がある。
【０００７】
更に、この２次相互変調歪は温度特性を持つため、温度変動による歪特性劣化に伴い、自送信波の抑圧を受け易くなってしまい、受信感度劣化が強く発生してしまう結果となる。
【０００８】
本発明は、上述の課題を鑑み、消費電力の増大や回路規模の増大を招くことなく、自送信電力によるミキサーの２次相互変調歪特性の温度による劣化を抑えることができる受信装置、受信装置の制御方法、受信装置の制御プログラムを提供することを目的とする。
【課題を解決するための手段】
【０００９】
上述の課題を解決するために、本発明に係る受信装置は、受信信号とローカル信号とを乗算して受信信号からベースバンド信号を復調するミキサー手段を含む受信装置であって、周囲温度を検出する温度検出手段と、温度検出手段の検出出力に応じて、ミキサー手段に対する設定値を可変する手段とを備えることを特徴とする。
【００１０】
本発明に係る受信装置の制御方法は、受信信号とローカル信号とを乗算して受信信号からベースバンド信号を復調するミキサー手段を含む受信装置の制御方法であって、周囲温度を検出し、温度の検出値に応じて、ミキサー手段に対する設定値を可変することを特徴とする。
【００１１】
本発明に係る受信装置の制御プログラムは、受信信号とローカル信号とを乗算して受信信号からベースバンド信号を復調するミキサー手段を含む受信装置の制御プログラムであって、周囲温度を検出するステップと、温度の検出値に応じて、ミキサー手段に対する設定値を可変するステップとを有することを特徴とする。
【発明の効果】
【００１２】
本発明によれば、温度変化に追従して、ローカル信号のバイアス電圧、ミキサーの電流値、ミキサーの対称性を確保するためＣＡＬコート値等のミキサーに対する設定値を可変することにより、消費電力の増大や回路規模の増大を招くことなく、自送信電力によるミキサーの２次相互変調歪特性の温度による劣化を抑えることが可能となる。
【図面の簡単な説明】
【００１３】
【図１】本発明の第１の実施形態に係る携帯端末装置における受信部の構成を示すブロック図である。
【図２】本発明の第１の実施形態の説明に用いるフローチャートである。
【図３】本発明の第２の実施形態に係る携帯端末装置における受信部の構成を示すブロック図である。
【図４】本発明の第２の実施形態の説明に用いるフローチャートである。
【図５】本発明の第３の実施形態に係る携帯端末装置における受信部の構成を示すブロック図である。
【図６】本発明の第３の実施形態の説明に用いるフローチャートである。
【発明を実施するための形態】
【００１４】
＜第１の実施形態＞
以下、本発明の実施の形態について図面を参照しながら説明する。図１は、本発明の第１の実施形態に係る携帯端末装置における受信部の構成を示すものである。
【００１５】
図１に示すように、本発明の第１の実施形態に係る携帯端末装置における受信部は、ＲＦＩＣ１０と、ディジタルベースバンド（ＤＢＢ：Ｄｉｇｉｔａｌ  Ｂａｓｅ  Ｂａｎｄ）回路１３と、ＣＰＵ（Ｃｅｎｔｒａｌ  Ｐｒｏｃｅｓｓｉｎｇ  Ｕｎｉｔ）装置１４と、不揮発性メモリ１５と、温度センサ１６とを有している。
【００１６】
ＲＦＩＣ１０は、携帯端末装置の送信部及び受信部の主要部を集積回路化したものである。ＲＦＩＣ１０は、送信側回路１１と受信側回路１２とからなる。本発明の第１の実施形態では、回路規模の削減を図るために、ＲＦＩＣ１０の受信側回路１２の内部に、ＬＮＡ２１を設けた構成とされている。
【００１７】
ＲＦＩＣ１０の受信側回路１２は、更に、ミキサー３１ａ及び３１ｂと、ＶＣＯ（Ｖｏｌｔａｇｅ  Ｃｏｎｔｒｏｌｌｅｄ  Ｏｓｃｉｌｌａｔｏｒ）３２と、位相分配器３３と、ＡＧＣ（Ａｕｔｏｍａｔｉｃ  Ｇａｉｎ  Ｃｏｎｔｒｏｌ）アンプ３４ａ及び３４ｂと、バンドパスフィルタ３５ａ及び３５ｂと、ＡＧＣアンプ３６ａ及び３６ｂと、Ａ／Ｄコンバータ２３と、ディジタルフィルタ２４と、Ｉ／Ｆ（ＩｎｔｅｒＦａｃｅ）２５と、レジスタ２６とを含んでいる。
【００１８】
ミキサー３１ａ及び３１ｂ、ＶＣＯ３２、位相分配器３３、ＡＧＣアンプ３４ａ及び３４ｂ、バンドパスフィルタ３５ａ及び３５ｂ、ＡＧＣアンプ３６ａ及び３６ｂは、直交復調器２２を構成している。この直交復調器２２は、受信信号から、Ｉ（ｉｎ−Ｐｈａｓｅ）信号とＱ（ｑｕａｄｒａｔｕｒｅ−Ｐｈａｓｅ）信号を復調する。更に、本発明の第１の実施形態においては、ミキサー３１ａ及び３１ｂに対するローカル信号のバイアスを設定するバイアス電圧設定部３７ａ及び３７ｂが設けられている。
【００１９】
ＤＢＢ回路１３は、Ｉデータ及びＱデータから、データをディジタル復調する。ＣＰＵ１４は、機器全体の制御を行う。不揮発性メモリ１５は、各種のデータを蓄積する。更に、本発明の第１の実施形態では、温度センサ１６が設けられる。
【００２０】
図１に示す受信部について、以下、信号の流れに沿って説明する。図１において、ＲＦＩＣ１０の受信側回路１２内に設けられたＬＮＡ２１は、デュプレクサ１７のＲＸポートに接続されている。デュプレクサ１７により、所望の受信信号が分離され、それ以外の不要な信号は減衰される。このデュプレクサ１７のＲＸポートからの受信信号は、ＲＦＩＣ１０の受信側回路１２内のＬＮＡ２１により、低雑音で増幅される。ＬＮＡ２１の出力信号は、ミキサー３１ａ及び３１ｂに供給される。
【００２１】
ＶＣＯ３２からは、ローカル信号が出力される。このローカル信号は、位相分配器３３に供給される。位相分配器３３は、入力信号を、同相の信号と、９０度位相の異なる信号に分配する。ＶＣＯ３２からのローカル信号を位相分配器３３で分配することで、互いに位相が９０度異なる２つのローカル信号が形成される。この位相分配器３３の出力信号がミキサー３１ａ及び３１ｂに供給される。
【００２２】
ミキサー３１ａは、ＬＮＡ２１からの受信信号と、同相のローカル信号とを乗算し、Ｉ信号を復調する。ミキサー３１ｂは、ＬＮＡ２１からの受信信号と、９０度位相がシフトされたローカル信号とを乗算し、Ｑ信号を復調する。ミキサー３１ａ及び３１ｂとしては、例えばギルバートセル型の２重平衡変調器によるアナログ乗算器等が用いられる。
【００２３】
ミキサー３１ａからのＩ信号は、ＡＧＣアンプ３４ａで増幅され、バンドパスフィルタ３５ａで不要成分が除去された後、更に、ＡＧＣアンプ３４ａで増幅され、Ａ／Ｄコンバータ２３に供給される。
【００２４】
ミキサー３１ｂからのＱ信号は、ＡＧＣアンプ３４ｂで増幅され、バンドパスフィルタ３５ｂで不要成分が除去された後、更に、ＡＧＣアンプ３４ｂで増幅され、Ａ／Ｄコンバータ２３に供給される。
【００２５】
Ａ／Ｄコンバータ２３は、ミキサー３１ａから、ＡＧＣアンプ３４ａ、バンドパスフィルタ３５ａ、ＡＧＣアンプ３６ａを介して入力されたＩ信号をディジタル化して、Ｉデータを生成する。また、Ａ／Ｄコンバータ２３は、ミキサー３１ｂから、ＡＧＣアンプ３４ｂ、バンドパスフィルタ３５ｂ、ＡＧＣアンプ３６ｂを介して入力されたＱ信号をディジタル化して、Ｑデータを生成する。
【００２６】
Ａ／Ｄコンバータ２３からのＩデータ及びＱデータは、ディジタルフィルタ２４を介して不要成分が除去された後、Ｉ／Ｆ２５を介して、ＤＢＢ回路１３に供給される。そして、ＤＢＢ回路１３により、Ｉデータ及びＱデータから、ディジタルデータが復調される。
【００２７】
このように、本発明の第１の実施形態では、ＲＦＩＣ１０の受信側回路１２の内部にＬＮＡ２１を設けた構成とされている。このような構成では、ＳＡＷフィルタのバンドパスフィルタを段間に設ける必要がなくなり、回路規模の削減が図れる。ところが、ＦＤＤ（Ｆｒｅｑｕｅｎｃｙ  Ｄｉｖｉｓｉｏｎ  Ｄｕｐｌｅｘ）のような送信・受信が同時に動作する可能性がある通信システムでは、このような自送信波がデュプレクサ１７から回り込み、受信側回路１２に影響を及ぼすことを考慮する必要がある。
【００２８】
受信側回路１２内に回り込んだ送信波は、直交復調器２２のミキサー３１ａ及び３１ｂに直接入力されてしまい、２次相互変調歪によって歪成分がベースバンド信号の帯域になり、ミキサー３１ａ及び３１ｂで発生した歪みはバンドパスフィルタ３５ａ及び３５ｂでは排除できない。そのため、ミキサー３１ａ及び３１ｂには高い２次相互変調歪特性が要求されることになる。
【００２９】
ミキサー３１ａ及び３１ｂの２次相互変調歪特性は、一般的に温度特性を持つため、動作温度によっては、より自送信の影響を受け、受信特性の劣化を招く。ミキサー３１ａ及び３１ｂの２次相互変調歪特性を上げることは、ミキサー電流を増加させたり、温度特性が発生しない回路構成を用いたりすることで実現できる。しかしながら、ミキサー電流を増加させたり、温度特性が発生しない回路構成を用いたりすると、消費電力が増大し、また、回路規模が大きくなる。
【００３０】
そこで、本発明の第１の実施形態では、温度センサ１６が設けられ、この温度センサ１６により、周囲温度を検出し、この温度センサ１６で検出された温度に応じて、ローカル信号のバイアス電圧を変更するように構成される。
【００３１】
つまり、周囲の温度が高くなると、一般に、直交復調器２２のミキサー３１ａ及び３１ｂは、２次相互変調歪の影響を受けやすくなる。この場合には、バイアス電圧設定部３７ａ及び３７ｂを制御して、ローカル信号のバイアス電圧を高くすることで、２次相互変調歪の影響を軽減することができる。
【００３２】
これに対して、周囲の温度が低くなると、一般に、直交復調器２２のミキサー３１ａ及び３１ｂは、２次相互変調歪の影響を受けにくくなる。この場合には、バイアス電圧設定部３７ａ及び３７ｂを制御して、ローカル信号のバイアスを低くすることで、消費電力の低減を図ることができる。
【００３３】
図２は、本発明の第１の実施形態の処理を示すフローチャートである。図２において、ＲＦＩＣ１０を起動すると（ステップＳ１０１）、ＣＰＵ装置１４は、温度センサ１６で検出された起動の時の温度状態（初期値）をレジスタ２６に書き込む（ステップＳ１０２）。バイアス電圧設定部３７ａ及び３７ｂは、レジスタ２６に書き込まれた温度状態に応じて、ローカル信号にバイアス電圧を供給する（ステップＳ１０３）。
【００３４】
ＣＰＵ装置１４は、温度センサ１６から所定周期で温度情報が報告されている（ステップＳ１０４）。ＣＰＵ装置１４は、温度センサ１６からの温度状態が変化しているかどうかを判定し（ステップＳ１０５）、温度センサ１６からの温度状態が変化しない場合には、ステップＳ１０４〜ステップＳ１０５のループを繰り返す。
【００３５】
ステップＳ１０５で、温度状態が変化した場合には、ＣＰＵ装置１４は、レジスタ２６を書き換える（ステップＳ１０６）。これにより、バイアス電圧設定部３７ａ及び３７ｂは、レジスタ２６に新たに書き込まれた温度状態に応じて、ローカル信号にバイアスを変更し（ステップＳ１０７）、処理をステップＳ１０４に戻す。
【００３６】
以上説明したように、本発明の第１の実施形態では、温度変化に追従して適切なローカル信号のバイアス電圧が設定されるため、消費電力を増大させることなく、ミキサーの２次相互変調歪特性の温度による劣化を抑えることが可能となる。
【００３７】
＜第２の実施形態＞
図３は、本発明の第２の実施形態を示すものである。前述の第１の実施形態では、温度変化に追従して適切なローカル信号のバイアス電圧が設定される。これに対して、この第２の実施形態では、温度変化に追従して適切なミキサー電流が設定される。
【００３８】
図３において、ＲＦＩＣ１１０は、第１の実施形態と同様に、送信側回路１１１と受信側回路１１２とからなる。ＤＢＢ回路１１３、ＣＰＵ装置１１４、不揮発性メモリ１１５、温度センサ１１６は、第１の実施形態におけるＤＢＢ回路１３、ＣＰＵ装置１４、不揮発性メモリ１５、温度センサ１６と同様であり、その説明は省略する。
【００３９】
また、ＲＦＩＣ１１０の受信側回路１１２の内部のＬＮＡ１２１、直交復調器１２２を構成するミキサー１３１ａ及び１３１ｂ、ＶＣＯ１３２、位相分配器１３３、ＡＧＣアンプ１３４ａ及び１３４ｂ、バンドパスフィルタ１３５ａ及び１３５ｂ、ＡＧＣアンプ１３６ａ及び１３６ｂ、Ａ／Ｄコンバータ１２３、ディジタルフィルタ１２４、Ｉ／Ｆ１２５は、第１の実施形態におけるＬＮＡ２１、ミキサー３１ａ及び３１ｂ、ＶＣＯ３２、位相分配器３３、ＡＧＣアンプ３４ａ及び３４ｂ、バンドパスフィルタ３５ａ及び３５ｂ、ＡＧＣアンプ３６ａ及び３６ｂ、Ａ／Ｄコンバータ２３、ディジタルフィルタ２４、Ｉ／Ｆ２５と同様であり、その説明は省略する。
【００４０】
本発明の第２の実施形態では、動作電流設定部１３７ａ及び１３７ｂが設けられ、レジスタ１２６に書き込まれた温度状態に応じて、ミキサー１３１ａ及び１３１ｂの電流が可変できるようになっている。
【００４１】
つまり、周囲の温度が高くなると、一般に、直交復調器１２２のミキサー１３１ａ及び１３１ｂは、２次相互変調歪の影響を受けやすくなる。この場合には、動作電流設定部１３７ａ及び１３７ｂを制御して、ミキサー１３１ａ及び１３１ｂの電流を増加させることで、２次相互変調歪の影響を軽減することができる。
【００４２】
これに対して、周囲の温度が低くなると、一般に、直交復調器２２のミキサー３１ａ及び３１ｂは、２次相互変調歪の影響を受けにくくなる。この場合には、動作電流設定部１３７ａ及び１３７ｂを制御して、ミキサー１３１ａ及び１３１ｂの電流を減少させることで、消費電力の低減を図ることができる。
【００４３】
図４は、本発明の第２の実施形態の処理を示すフローチャートである。図４おいて、ＲＦＩＣ１１０が起動すると（ステップＳ２０１）、ＣＰＵ装置１１４は、温度センサ１１６で検出された起動の時の温度状態（初期値）をレジスタ１２６に書き込む（ステップＳ２０２）。動作電流設定部１３７ａ及び１３７ｂは、レジスタ１２６に書き込まれた温度状態に応じて、ミキサー１３１ａ及び１３１ｂに電流を流す（ステップＳ１０３）。
【００４４】
ＣＰＵ装置１１４は、温度センサ１１６から所定周期で温度情報が報告されている（ステップＳ２０４）。ＣＰＵ装置１１４は、温度センサ１１６からの温度状態が変化しているかどうかを判定し（ステップＳ２０５）、温度センサ１１６からの温度状態が変化しない場合には、ステップＳ２０４〜ステップＳ２０５のループを繰り返す。
【００４５】
ステップＳ２０５で、温度状態が変化した場合には、ＣＰＵ装置１１４は、レジスタ１２６を書き換える（ステップＳ２０６）。これにより、動作電流設定部１３７ａ及び１３７ｂは、レジスタ１２６に新たに書き込まれた温度状態に応じて、ミキサー１３１ａ及び１３１ｂに流す電流を変更し（ステップＳ２０７）、処理をステップＳ２０４に戻す。
【００４６】
以上説明したように、本発明の第２の実施形態では、温度変化に追従して適切なミキサーの電流が設定されるため、消費電力を増大させることなく、ミキサーの２次相互変調歪特性の温度による劣化を抑えることが可能となる。
【００４７】
＜第３の実施形態＞
図５は、本発明の第３の実施形態を示すものである。前述の第１の実施形態では、温度変化に追従して適切なローカル信号のバイアス電圧が設定され、また、第２の実施形態では、温度変化に追従して適切なミキサー電流が設定される。これに対して、本発明の第３の実施形態では、温度変化に追従して、ミキサーの対称性を確保するため歪み特性調整値（ＣＡＬＩＢＲＡＴＩＯＮ）が設定される。
【００４８】
図５において、ＲＦＩＣ２１０は、第１及び第２の実施形態と同様に、送信側回路２１１と受信側回路２１２とからなる。ＤＢＢ回路２１３と、ＣＰＵ装置２１４、不揮発性メモリ２１５、温度センサ２１６は、第１の実施形態におけるＤＢＢ回路１３、ＣＰＵ装置１４、不揮発性メモリ１５、温度センサ１６と同様であり、その説明は省略する。
【００４９】
また、ＲＦＩＣ２１０の受信側回路２１２の内部のＬＮＡ２２１、直交復調器２２２を構成するミキサー２３１ａ及び２３１ｂ、ＶＣＯ２３２、位相分配器２３３、ＡＧＣアンプ２３４ａ及び２３４ｂ、バンドパスフィルタ２３５ａ及び２３５ｂ、ＡＧＣアンプ２３６ａ及び２３６ｂ、Ａ／Ｄコンバータ２２３、ディジタルフィルタ２２４、Ｉ／Ｆ２２５は、第１の実施形態におけるＬＮＡ２１、ミキサー３１ａ及び３１ｂ、ＶＣＯ３２、位相分配器３３、ＡＧＣアンプ３４ａ及び３４ｂ、バンドパスフィルタ３５ａ及び３５ｂ、ＡＧＣアンプ３６ａ及び３６ｂ、Ａ／Ｄコンバータ２３、ディジタルフィルタ２４、Ｉ／Ｆ２５と同様であり、その説明は省略する。
【００５０】
本発明の第３の実施形態では、歪み特性調整部３３７ａ及び３３７ｂが設けられ、レジスタ３２６に書き込まれた温度状態に応じて、ＣＡＬ（ＣＡＬＩＢＲＡＴＩＯＮ）コードが可変できる。
【００５１】
つまり、２次相互変調歪は、ミキサー２３１ａ及び２３１ｂの対称性のバランスが崩れると、劣化することになる。歪み特性調整部２３７ａ及び２３７ｂは、この対称性を確保するための調整を行うもので、この調整値がＣＡＬコードとなる。このＣＡＬコードは温度によって最適な値が異なる。本発明の第３の実施形態では、温度に応じてＣＡＬコードを変更することで、ミキサー２３１ａ及び２３１ｂの内部回路の対称性が改善される。
【００５２】
図６は、本発明の第２の実施形態の処理を示すフローチャートである。図６おいて、ＲＦＩＣ２１０を起動すると（ステップＳ３０１）、ＣＰＵ装置２１４は、温度センサ２１６で検出された起動の時の温度状態に基づくＣＡＬコード（初期値）をレジスタ２２６に書き込む（ステップＳ３０２）。歪み特性調整部２３７ａ及び２３７ｂは、レジスタ２２６に書き込まれたＣＡＬコードに応じて、ミキサー２３１ａ及び２３１ｂのキャリブレーションを設定する（ステップＳ３０３）。
【００５３】
ＣＰＵ装置２１４は、温度センサ２１６から所定周期で温度情報が報告されている（ステップＳ３０４）。ＣＰＵ装置２１４は、温度センサ２１６からの温度状態が変化しているかどうかを判定し（ステップＳ３０５）、温度センサ２１６からの温度状態が変化しない場合には、ステップＳ３０４〜ステップＳ３０５のループを繰り返す。
【００５４】
ステップＳ３０５で、温度状態が変化した場合には、ＣＰＵ装置２１４は、レジスタ１２６のＣＡＬコードを書き換える（ステップＳ３０６）。これにより、歪み特性調整部２３７ａ及び２３７ｂは、レジスタ２２６に新たに書き込まれたＣＡＬコードに応じて、ミキサー２３１ａ及び２３１ｂのキャリブレーションを設定し（ステップＳ３０７）、処理をステップＳ３０４に戻す。
【００５５】
以上説明したように、本発明の第３の実施形態では、温度変化に追従して適切なＣＡＬコードが設定されるため、消費電力を増大させることなく、ミキサーの２次相互変調歪特性の温度による劣化を抑えることが可能となる。
【００５６】
本発明は、上述した実施形態に限定されるものではなく、この発明の要旨を逸脱しない範囲内で様々な変形や応用が可能である。
【符号の説明】
【００５７】
１０，１１０，２１０：ＲＦＩＣ
１１，１１０，２１０：送信側回路
１２，１１２，２１２：受信側回路
１３，１１３．２１３：ＤＢＢ回路
１４，１１４，２１４：ＣＰＵ装置
１５，１１５，２１５：不揮発性メモリ
１６，１１６，２１６：温度センサ
１７，１１７，２１７：デュプレクサ
２１，１２１，２１１：ＬＮＡ
２１ａ，２１ｂ：ミキサー
２２，１２２，２１２：直交復調器
２３，１２３，２２３：Ａ／Ｄコンバータ
２４，１２４，２２４：ディジタルフィルタ
２６，１２６，２２６：レジスタ
３１ａ，３１ｂ：ミキサー
３２，１３２，２３２：ＶＣＯ
３３，１３３，２３３：位相分配器
３４ａ，３４ｂ，１３４ａ，１３４ｂ，２３４ａ，２３４ｂ：ＡＧＣアンプ
３６ａ，３６ｂ，１３６ａ，１３６ｂ，２３６ａ，２３６ｂ：ＡＧＣアンプ
３５ａ，３５ｂ，１３５ａ，１３５ｂ，２３５ａ，２３５ｂ：バンドパスフィルタ
３７ａ，３７ｂ：バイアス電圧設定部
１３７ａ，１３７ｂ：動作電流設定部
２３７ａ，２３７ｂ：歪み特性調整部
【図１】
2012186672.tif 000003
【図２】
2012186672.tif 000004
【図３】
2012186672.tif 000005
【図４】
2012186672.tif 000006
【図５】
2012186672.tif 000007
【図６】
2012186672.tif 000008